(57)【要約】  【課題】構造が簡単でかつコストの割安な高さ調節機構を備えた椅子型電位治療器を提供する。  【解決手段】椅子本体１に交流高電圧が導かれる電極を配置し、着座者に電圧を印加して電位治療を施す椅子型電位治療器において、椅子本体１を支持する本体部１１と本体部１１を支持する脚部１２とからなる支持構造体１０を有するとともに、本体部１１と脚部１２との間には一端が本体部１１に軸支され且つ他端が脚部１２に軸支されたリンク板２０ｂ，２０ｃと、リンク板２０ｂ，２０ｃの一端を上下方向に回動させる本体用アクチュエータ１５とを有する構造となっている。これにより、本体用アクチュエータ１５を駆動することにより、リンク板２０ｂ，２０ｃの一端が上方に向かって回転する。これにより、リンク板２０ｂ，２０ｃの一端が上位となり、本体部１１に支持された椅子本体１が上昇する。【選択図】  図５
2006055450.tif 000002
【特許請求の範囲】
【請求項１】
椅子本体に交流高電圧が導かれる電極を配置し、着座者に電圧を印加して電位治療を施す椅子型電位治療器において、
前記椅子本体を支持する本体部と該本体部を支持する脚部とからなる支持構造体を有するとともに、
前記本体部と前記脚部との間には一端が該本体部に軸支され且つ他端が脚部に軸支されたリンク板と、該リンク板の一端を上下方向に回動させるアクチュエータとを有する
ことを特徴とする椅子型電位治療器。
【請求項２】
前記リンク板は前記本体部と前記脚部の前側左右２箇所と後側左右２箇所に配置するとともに、前側左右２箇所に配置されたリンク板は前記アクチュエータに共通の連結軸ピンで連結した
ことを特徴とする請求項１記載の椅子型電位治療器。
【請求項３】
前記脚部は水平方向に回動自在となっている
ことを特徴とする請求項１又は請求項２記載の椅子型電位治療器。
【発明の詳細な説明】
【技術分野】
【０００１】
本発明は、電極に交流高電圧を導き、人体に電位治療を施す電位治療器にマッサージ装置を組み込んだ椅子型電位治療器に関するものである。
【背景技術】
【０００２】
従来、この種の椅子型電位治療器として、出願人は一例として特許文献１に記載されたものを提案している。
【０００３】
電位治療器では一般に全身通電法と局所通電法とが採用されている。全身通電法は電界を人体全体に満遍なく包むよう形成し、これにより、人体表面の感覚受容器を刺激して自律神経系や内分泌系を調整している。一方、局所通電法は電界を人体の局所に集中的に形成し、これにより、人体局所への刺激により筋肉の凝りや痛みを緩和している。
【０００４】
前記出願人提案の椅子型電位治療器は、椅子本体の座部に幅広の電極を配置しており、電極に交流高電圧を導き着座者の全身に通電する全身通電法が採用されている。
【０００５】
ところで、この椅子型電位治療器により電位治療を行う際は、身体の緊張を解き、リラックスした状態で治療することが望ましく、そのため、椅子の高さなどが治療を行う着座者に常に適切なものとなっていることが望まれる。
【０００６】
しかしながら、従来の椅子型電位治療器は高さ調節機能がなかった。そこで、この問題点を解決するため、高さ調節機構を備えた椅子を、例えば特許文献２に記載された高さ調節機構を採用することが考えられる。
【特許文献１】特開２００３−３２５６７８号公報
【特許文献２】特開２０００−１４４７５号公報
【発明の開示】
【発明が解決しようとする課題】
【０００７】
しかしながら、特許文献２に記載された高さ調節機構は多数のリンク機構と駆動源とを組みあわせて構成しており、構造が複雑であるばかりか、製造コストも割高なものとなっている。
【０００８】
本発明の目的は前記従来の課題に鑑み、構造が簡単でかつコストの割安な高さ調節機構を備えた椅子型電位治療器を提供することにある。
【課題を解決するための手段】
【０００９】
本発明は前記課題を解決するため、椅子本体に交流高電圧が導かれる電極を配置し、着座者に電圧を印加して電位治療を施す椅子型電位治療器において、椅子本体を支持する本体部と本体部を支持する脚部とからなる支持構造体を有するとともに、本体部と脚部との間には一端が本体部に軸支され且つ他端が脚部に軸支されたリンク板と、リンク板の一端を上下方向に回動させるアクチュエータとを有する構造となっている。
【００１０】
本発明によれば、アクチュエータを駆動することにより、リンク板の一端が上方に向かって回転する。これにより、リンク板の一端が上位となり、本体部に支持された椅子本体が上昇する。
【００１１】
請求項２の発明は、請求項１に係る椅子型電位治療器において、リンク板は本体部と脚部の前側左右２箇所と後側左右２箇所に配置するとともに、前側左右２箇所に配置されたリンク板はアクチュエータに共通の連結軸ピンで連結した構造となっている。従って、本体部が前後左右の４点で支持されるため、安定した構造となっている。なお、脚部を水平方向に回動自在にするようにしてもよい。
【発明の効果】
【００１２】
本発明によれば、リンク板とアクチュエータにより座部を昇降させることができるので、構造が簡単で、かつ、コストが安価になる。なお、本体部を複数のリンク板にて前後左右の４点で支持するときは、座部を安定的に支持することができる。
【発明を実施するための最良の形態】
【００１３】
図１乃至図９(a)(b)は本発明に係る椅子型電位治療器の一実施形態を示すもので、図１は椅子型電位治療器の全体斜視図、図２は電位治療用電極、遠赤外線ヒータ、振動装置及びマッサージ装置の装着位置を示す平面図、図３は電位治療用電極、遠赤外線ヒータ、振動装置及びマッサージ装置の制御回路を示すブロック図、図４は電位治療器本体の電気回路図、図５は支持構造体の本体部と脚部との分解斜視図、図６は支持構造体の本体部と各足載せ台との分解斜視図、図７(a)(b)は支持構造体の昇降作用を示す側面図、図８(a)(b)は各足載せ台の回動作用を示す側面図、図９(a)(b)は背もたれ部の傾斜作用を示す側面図である。
【００１４】
本実施形態に係る椅子型電位治療器の全体構造を図１及び図２を参照して説明する。この椅子型電位治療器の椅子本体１は着座者の尻部を載せる座部１ａ、座部１ａの後端から上方に延在した背もたれ部１ｂ、座部１ａの左右に立設した肘あて部１ｃ、座部１ａの前端に設けた第１足載せ台１ｄを有している。また、背もたれ部１ｂの左右には椅子本体１の左右からの視線を遮る目隠し部１ｅが延在され、また、第１足載せ台１ｄの内部には前後方向に摺動自在の第２足載せ台１ｆを有している。これらの各部１ａ〜１ｆは支持構造体１０により支持されている。
【００１５】
また、椅子本体１の各部１ａ〜１ｆには、図２に示すように、電位治療器本体２の電極２１、電熱ヒータ例えば遠赤外線ヒータ（以下、ヒータという）３、振動装置４、マッサージ装置５が埋設されている。即ち、座部１ａには電極２１が１個、ヒータ３が１個、振動装置４が２個埋設されている。背もたれ部１ｂにはヒータ３が２個、振動装置４が４個、マッサージ装置５が埋設されている。第１足載せ台１ｄには電極２１が１個埋設されている。目隠し部１ｅには電極２１が２個埋設され、第２足載せ台１ｆにはヒータ３が２個埋設されている。
【００１６】
これらの各機器２〜５は、図３に示すように、制御装置６（例えばマイクロコンピュータ）により制御されるもので、電位治療スイッチ６１、ヒータスイッチ６２、振動スイッチ６３及びマッサージスイッチ６４からの駆動信号に基づき機器駆動回路６５を介して各機器２〜５を駆動制御するようになっている。
【００１７】
ここで、電位治療器本体２の各電極２１と交流電源２２との間の回路中には、図４に示すように、高圧トランス２３が設置され、例えば５，０００Ｖ以上の交流高電圧を電極２１に導いている。なお、高圧トランス２３の一次コイル２３ａと二次コイル２３ｂとの間には電位を安定化させる抵抗２４が介在され、また、二次コイル２３ｂと電極２１との間には電流を制限する抵抗２５が接続されている。交流電源２２の回路中には前記機器駆動回路６５で制御される通電制御スイッチ２６が挿入されている。これにより、座部１ａ、第１足載せ台１ｄ及び目隠し部１ｅの各電極２１に交流高電圧が導かれ、着座者の電位治療が行われる。
【００１８】
以上のように構成された椅子型電位治療器において、本実施形態は各部１ａ〜１ｆを支持する支持構造体１０及び各足載せ台１ｄ，１ｆに特徴を有する。以下、支持構造体１０及び各足載せ台１ｄ，１ｆの構造を図５〜図９(a)(b)を参照して説明する。なお、図５〜図９(a)(b)に示された支持構造体１０及び各足載せ台１ｄ，１ｆは被覆部材で包囲されているが、この被覆部材は図面上省略している。
【００１９】
支持構造体１０は、座部１ａの直下に配置された本体部１１と、本体部１１の下方に配置された脚部１２と、第１足載せ台１ｄ及び第２足載せ台１ｆを動作させる足載せ台用アクチュエータ１３と、背もたれ部１ｂを傾斜動作させる背もたれ用アクチュエータ１４と、本体部１１を昇降動作させる本体用アクチュエータ１５とを有している。ここで、各アクチュエータ１３，１４，１５は電動モータにより直線運動を行う作動ロッド１３１，１４１，１５１を有している。
【００２０】
まず、本体部１１を図５及び図６を参照して説明する。本体部１１は全体に略直方体形状に枠組みされており、その上部左右には前後方向に延在された一対の上枠１１０を有する。各上枠１１０の先端側には前方斜め上方に延在されたる一対の第１足載せ台用アーム１１１が溶接され、後端側には背もたれ部１ｂの側板１８１を支持する支持突起１１２が溶接されている。また、各上枠１１０の後端寄りは横柱１１３で架設されており、横柱１１３の中央には足載せ台用アクチュエータ１３の後端１３２を支持する支持突起１１４が溶接されている。
【００２１】
本体部１１の前面左右には上下方向に延在された一対の前枠１１５を有している。各前枠１１５の上端寄りは断面略「Ｌ」字状の横枠１１６で架設されており、横枠１１６の右側上面には背もたれ用アクチュエータ１４の後端１４２を支持する断面略「コ」字状の支持枠１１７が立設されている。
【００２２】
本体部１１の下部左右には前後方向に延在された受け板１１８が溶接され、更に、各受け板１１８の下面には図５に示すように断面略「Ｌ」字状の連結枠１１９が溶接されている。
【００２３】
次に脚部１２を図５を参照して説明する。脚部１２は最下位に有する環状のリング脚１２０を有している。このリング脚１２０の下面には複数のキャスタ１２１が等間隔に設置されており、周方向に移動自在となっている。また、リング脚１２０には複数の補強枠１２２が架設され補強されるとともに、リング脚１２０の中央には補強枠１２２を介して環状の玉軸受け１２３が設置されている。また、玉軸受け１２３の上面には補強枠１２４を介して四角形状の支持枠１２５が溶接されている。
【００２４】
ここで、玉軸受け１２３は下面に溶接された前記補強枠１２２と上面に溶接された前記補強枠１２４を互いに回動自在に軸支するもので、これにより、リング脚１２０に対して支持枠１２５が水平方向に回動できるようになっている。
【００２５】
前記支持枠１２５の前枠１２５ａには本体用アクチュエータ１５の作動ロッド１５１の先端がリンク板２０ａを介して支持される支持突起１２６が溶接され、支持枠１２５の後枠１２５ｂには本体用アクチュエータ１５の後端１５２が回動自在に支持される支持突起１２７が溶接されている。また、支持枠１２５の４隅のコーナには連結枠１１９を支持する支持突起１２８が溶接されている。なお、図１及び図７に示す１２９は脚部１２を覆う脚カバーである。
【００２６】
続いて、第１足載せ台１ｄ及び第２足載せ台１ｆの構成を図６を参照して説明する。第１足載せ台１ｄは四角形状に形成された台本体１６１を有し、台本体１６１の左右両側には直角に屈曲した支持枠１６２を有している。また、各支持枠１６２の内側には断面略「コ」字状の受けレール１６３が形成されている。また、第２足載せ台１ｆは第１足載せ台１ｄより小さな面積で形成されたもので、第１足載せ台１ｄの裏面に収納されている。第２足載せ台１ｆは四角形状の台本体１７１を有し、台本体１７１の左右両側に断面「コ」字状に屈曲した支持枠１７２を形成し、この支持枠１７２の内面にスライドレール１７３を設置している。また、台本体１７１の上端中央には足載せ台用アクチュエータ１３の作動ロッド１３１の先端が連結される連結突起１７４が形成されている。
【００２７】
ここで、第２足載せ台１ｆの支持枠１７２は第１足載せ台１ｆの受けレール１６３に嵌め込む一方、スライドレール１７３を受けレール１６３に固定し、第２足載せ台１ｆを第１足載せ台１ｄに沿って摺動自在に設置している。
【００２８】
以上のように構成された支持構造体１０、背もたれ部１ｂ及び各足載せ台１ｄ，１ｆは、図５及び図６に示すように、各軸ピン１０ａ，１０ｂ，１０ｃ，１０ｄ，１０ｅ，１０ｆ，１０ｇ，１０ｈ，１０ｉ，１０ｊ，１０ｋ，１０ｍと各リンク板２０ａ，２０ｂ，２０ｃにより連結している。ここで、各軸ピン１０ａ〜１０ｍはボルトにて形成されており、図示しないナットで各部材を締結するようになっている。
【００２９】
即ち、足載せ台用アクチュエータ１３の作動ロッド１３１の先端を第２足載せ台１ｆの連結突起１７４の間に嵌め込み軸ピン１０ａにて軸支し、作動ロッド１３１を第２足載せ台１ｆに回動自在に連結している。また、足載せ台用アクチュエータ１３の後端１３２は各支持突起１１４の間に嵌め込み軸ピン１０ｂにて軸支しアクチュエータ１３の後端１３２を本体部１１に回動自在に軸支している。
【００３０】
背もたれ用アクチュエータ１４の作動ロッド１４１の先端を軸ピン１０ｃにより側板１８１の下端部に軸支し、作動ロッド１４１を側板１８１に回動自在に連結している。また、背もたれ用アクチュエータ１４の後端１４２を支持枠１１７に嵌め込み軸ピン１０ｄにより軸支し、アクチュエータ１４の後端１４２を本体部１１に回動自在に支持している。
【００３１】
本体用アクチュエータ１５の作動ロッド１５１の先端には、図５に示すように、略「く」の字状に形成された一対のセンターリンク板２０ａが連結されている。各センターリンク板２０ａの一端を作動ロッド１５１に回動自在に連結する一方、他端を脚部１２の支持突起１２６に嵌め込み軸ピン１０ｋで軸支し、作動ロッド１５１を脚部１２に回動自在に支持している。また、センターリンク板２０ａの屈曲部分には連結軸ピン１０ｅを貫通する一方、連結軸ピン１０ｅの両端は各リンク板２０ｂに貫通している。ここで、リンク板２０ｂは両端を半円形状に形成した長板で形成したもので、連結軸ピン１０ｅの各端を各リンク板２０ｂの一端に貫通させ、更に、この連結軸ピン１０ｅを各連結枠１１９の側板に軸支している（なお、図５の一点鎖線中、（Ａ）で示す２箇所は互い連続していることを示す）。また、各リンク板２０ｂの他端には軸ピン１０ｆを貫通させ、支持枠１２５の前側支持突起１２８に軸支している。また、本体用アクチュエータ１５の後端１５２は各支持突起１２７に嵌め込まれ軸ピン１０ｍにより軸支され、脚部１２に回動自在に支持されている。
【００３２】
このように、各センターリンク板２０ａ及び各リンク板２０ｂを連結軸ピン１０ｅ及び軸ピン１０ｆで連結することにより、作動ロッド１５１の前後方向への動作が、各センターリンク板２０ａ及びリンク板２０ｂの上下方向への回転力となる。
【００３３】
更に、各リンク板２０ｃはリンク板２０ｂと同様に形成され、各リンク板２０ｃの一端に軸ピン１０ｈを貫通させ、更に各連結枠１１９の側板に軸支する一方、リンク板２０ｃの他端に軸ピン１０ｇを貫通させ、更に支持枠１２５の後側支持突起１２８に軸支している（なお、図５の一点鎖線中、（Ｂ）で示す２箇所は互い連続していることを示す）。
【００３４】
ここで、前側のリンク板２０ｂと後側のリンク板２０ｃは互いに平行に配置されており、各リンク板２０ｂ，２０ｃの上下方向への回動により各連結枠１１９が水平状態で昇降する構造となっており、全体として平行４リンク機構を構成している。
【００３５】
第１足載せ台１ｄの支持枠１６２の上端は第１足載せ台用アーム１１１の先端に軸ピン１０ｊにより軸支され、第１足載せ台１ｄが本体部１１に回動自在に垂下されている。
【００３６】
背もたれ部１ｂの側板１８１の前端は支持突起１１２に軸ピン１０ｉにより軸支され、背もたれ部１ｂが前後方向に回動自在となっている。
【００３７】
以上のように構成された椅子型電位治療器において、椅子本体１の高さ位置を変更するときは、図７(a)(b)に示すように操作する。即ち、椅子本体１の位置を高くするときは、図７(b)に示すように、本体用アクチュエータ１５を駆動し、作動ロッド１５１を前方に移動させる。これにより、センターリンク板２０ａの一端側が上方に向かって回転し、これに伴い、各リンク板２０ｂ及び連結軸ピン１０ｅが上方に向かって回転する。これにより、各連結枠１１９が上昇し、椅子本体１の位置が高くなる。なお、リンク板２０ｃは各連結枠１１９の上昇に伴い同じく上方に向かって回転し、リンク板２０ｂと共同して各連結枠１１９を支持している。一方、椅子本体１の高さ位置を低くするときは、逆に、作動ロッド１５１を後方に引くよう本体用アクチュエータ１５を逆に操作すればよく、これにより、図７(a)に示すように、各連結枠１１９が下降し、椅子本体１の位置が低くなる。
【００３８】
次に、着座者が足を伸ばすために、各足載せ台１ｄ，１ｆを用いるときは、図８(b)に示すように操作する。即ち、足載せ台用アクチュエータ１３を駆動し、作動ロッド１３１を前方に移動させる。この作動ロッド１３１の前方への移動により第２足載せ台１ｆを介して第１足載せ台１ｄがその裏側から前方に押され、第１足載せ台１ｄが徐々に上方に向かって回転する。一方、第１足載せ台１ｄの上方への回転に伴い第２足載せ台１ｆも上方に向かって回転するとともに、スライドレール１７３により前方に向かって摺動し、第１足載せ台１ｄの先端から前方に突出する。これにより、第１足載せ台１ｄ及び第２足載せ台１ｆが座部１ａの前方に突出し、着座者の足を各足載せ台１ｄ，１ｆに載せることができる。一方、各足載せ台１ｄ，１ｆが不要となったときは、作動ロッド１３１を逆に後方に引き戻すよう足載せ台用アクチュエータ１３を駆動すればよい。これにより、各足載せ台１ｄ，１ｆが図８(a)に示すように座部１ａの前端から下方に向かって垂下される。
【００３９】
続いて、背もたれ部１ｂの傾斜角度を変更するときは、図９(a)(b)に示すように操作すればよい。即ち、背もたれ部１ｂを後方に向かって倒すときは、図９(b)に示すように、作動ロッド１４１を手前側に引くよう背もたれ用アクチュエータ１４を駆動する。これにより、軸ピン１０ｉを中心に背もたれ部１ｂが後方に向かって傾斜する。一方、背もたれ部１ｂを立てるときは、作動ロッド１４１を図９(a)に示すように後方に向かって移動させればよい。
【００４０】
本実施形態によれば、第１足載せ台１ｄ及び第２足載せ台１ｆを用いないときは、第１足載せ台１ｄは座部１ａの前端に垂下され、また、第２足載せ台１ｆも第１足載せ台１ｄに沿って垂下された状態となっているため、各足載せ台１ｄ，１ｆが着座者の足元で邪魔になることがない。
【００４１】
また、各足載せ台１ｄ，１ｆを用いるときは、足載せ台アクチュエータ１３を駆動すれば足り、各足載せ台１ｄ，１ｆを同時に操作することでき、各足載せ台１ｄ，１ｆの伸長操作が簡単になっている。
【００４２】
更に、本体部１１が前後左右の４個のリンク板２０ｂ，２０ｃにより脚部１２に支持されているため、本体部１１ひいては椅子本体１全体を安定的に支持することができるし、また、構造も簡単なものとなっている。
【００４３】
更にまた、リンク板２０ｂに貫通する連結軸ピン１０ｅと軸ピン１０ｆとの距離、及び、リンク板２０ｃに貫通する軸ピン１０ｇと軸ピン１０ｈとの距離は、それぞ本体部１１の昇降距離となっている。従って、これらの軸間距離を大きくするときは、昇降距離、即ち高さ調節代を大きくすることができる。
【００４４】
図１０及び図１１は本発明に係る椅子型電位治療器の他の実施形態を示すもので、図１０は電位治療用電極、遠赤外線ヒータ、振動装置及びマッサージ装置の装着位置を示す平面図、図１１は電位治療器本体の電気回路図である。なお、前記実施形態と共通の構成部分は同一符号を用い、その説明を省略する。
【００４５】
本実施形態は電位治療器本体２の電気回路を改良したものである。即ち、図１１に示すように、高圧トランス２３が設置され、例えば５，０００Ｖ以上の交流高電圧を電極２１ａ，２１ｂに導いている。この高圧トランス２３の一次コイル２３ａと二次コイル２３ｂとの間は絶縁されている。また、二次コイル２３ｂと電極２１ａ（目隠し部１ｅの電極）との間には電流を制限する抵抗２５ａが接続され、二次コイル２３ｂと電極２１ｂ（座部１ａ及び第１足載せ台１ｄの電極）との間には電流を制限する抵抗２５ｂが接続されている。なお、前記実施形態と同様に交流電源２２の回路中には前記機器駆動回路６５で制御される通電制御スイッチ２６が挿入されている。
【００４６】
本実施形態によれば、電極２１ａと電極２１ｂに逆極性の交流高電圧が導かれるため、座部１ａ及び第１足載せ台１ｄと目隠し部１ｅとの間で着座者に対して高出力の電位治療を行うことができる。なお、その他の構成及び作用は前記実施形態と同様である。
【図面の簡単な説明】
【００４７】
【図１】椅子型電位治療器の全体斜視図
【図２】電位治療用電極、遠赤外線ヒータ、振動装置及びマッサージ装置の装着位置を示す平面図
【図３】電位治療用電極、遠赤外線ヒータ、振動装置及びマッサージ装置の制御回路を示すブロック図
【図４】電位治療器本体の電気回路図
【図５】支持構造体の本体部と脚部との分解斜視図
【図６】支持構造体の本体部と各足載せ台との分解斜視図
【図７】支持構造体の昇降作用を示す側面図
【図８】各足載せ台の回動作用を示す側面図
【図９】背あて部の傾斜作用を示す側面図
【図１０】他の実施形態に係る電位治療用電極、遠赤外線ヒータ、振動装置及びマッサージ装置の装着位置を示す平面図
【図１１】他の実施形態に係る電位治療器本体の電気回路図
【符号の説明】
【００４８】
１…椅子本体、１０…支持構造体、１１…本体部、１２…脚部、１５…本体用アクチュエータ、１０ｅ…連結軸ピン、２０ａ，２０ｂ，２０ｃ…リンク板。
【図１】
2006055450.tif 000003
【図２】
2006055450.tif 000004
【図３】
2006055450.tif 000005
【図４】
2006055450.tif 000006
【図５】
2006055450.tif 000007
【図６】
2006055450.tif 000008
【図７】
2006055450.tif 000009
【図８】
2006055450.tif 000010
【図９】
2006055450.tif 000011
【図１０】
2006055450.tif 000012
【図１１】
2006055450.tif 000013